(57)【要約】【課題】汚泥処理設備において経済的にエネルギー回収を行なう。【解決手段】前記加圧流動床式焼却炉２からの排ガスＸ４を利用して過給機５にて圧縮空気の生成及び送風を行い、この過給機で生成した縮空気の一部Ｘ３を燃焼用空気の予熱を行う予熱器３に供給するとともに、その余の余剰圧縮空気Ｘ５をＰＳＡ式酸素分離装置９に供給して高濃度酸素を得ることにより解決される。【選択図】図１
2007170702.tif 000002
【特許請求の範囲】
【請求項１】
加圧流動床式焼却炉と、
前記加圧流動床式焼却炉からの排ガスを利用して圧縮空気の生成及び送風を行う過給機と、
加圧流動床式焼却炉に供給する燃焼用空気の予熱を行う予熱器と、
圧縮空気を原料として高濃度酸素を得るＰＳＡ式酸素分離装置とを備え、
前記過給機で圧縮された圧縮空気の一部が前記予熱器に供給され、その余りの余剰圧縮空気がＰＳＡ式酸素分離装置に供給されるように構成されている、
ことを特徴とする汚泥処理設備。
【請求項２】
過給機から余剰圧縮空気を一時的に貯留する気蓄機を備える請求項１記載の汚泥処理設備。
【請求項３】
ＰＳＡ式酸素分離装置が、マルチカラム方式のＰＳＡ式酸素分離装置である請求項１〜３の何れか１項に記載の汚泥処理設備。
【請求項４】
加圧流動床式焼却炉にて汚泥を焼却処理し、
この焼却処理にともなって前記加圧流動床式焼却炉から排出される排ガスを利用して、過給機にて圧縮空気を生成するとともに送気し、
この過給機で生成された圧縮空気の一部を加圧流動床式焼却炉に供給する燃焼用空気の予熱を行う予熱器に供給するとともに、その余りの余剰圧縮空気をＰＳＡ式酸素分離装置に供給して高濃度酸素を得る、
ことを特徴とする汚泥処理方法。
【請求項５】
過給機から余剰圧縮空気を気蓄機にて一時的に貯留した後に、ＰＳＡ式酸素分離装置に供給する請求項１記載の汚泥処理方法。
【請求項６】
ＰＳＡ式酸素分離装置で得た高濃度酸素を、オゾン発生原料、純酸素曝気用酸素、焼却設備における酸素富化燃焼用途、汚水処理設備内での自己消費に利用する請求項４または５記載の汚泥処理方法。
【発明の詳細な説明】
【技術分野】
【０００１】
本発明は、汚泥の焼却技術に属し、特には、焼却炉および過給機を備えた汚泥処理設備および過給機および焼却炉を用いた汚泥処理方法に関する。
【背景技術】
【０００２】
汚泥処理設備では、エネルギー回収の観点からは各処理プロセスが独立しており、処理水を汚泥焼却炉の排ガス冷却・洗浄用として使用するエネルギー回収が行われている程度で、各処理プロセス間にまたがる有機的なエネルギーリサイクルが行われていない。
例えば、加圧流動床式焼却炉では、多量の廃熱エネルギーが発生するが、汚泥処理設備では、焼却炉の他に熱エネルギーを多量に消費する処理プロセスがないことなどが原因である。
多々の処理プロセスで共通して必要なエネルギーとしては、動力エネルギーが挙げられる。具体的には電力である。廃熱エネルギーを利用して電力を得れば有機的なエネルギーリサイクルが可能となるが、汚水処理、廃棄物メタン発酵処理等で発生する汚泥の無害化処理として実施される焼却プロセスにおいて発生する廃熱エネルギーでは、規模的制約から各プロセスで十分に利用可能な程度の電力を得ることができず、その他の多大な経費が必要となりかえって経済的ではない。
【特許文献１】特開２００５−０２８２５１
【発明の開示】
【発明が解決しようとする課題】
【０００３】
一方、加圧流動床式焼却炉による汚泥プロセスにおいては、運転動力の過半を占める燃焼用圧縮空気を自己発生させることで自己の消費するエネルギーを削減することが可能である。さらにエネルギーバランス的には自己消費以上の余剰圧縮空気の発生も可能である。そこで余剰圧縮空気による発電も考えられるが、やはり経済的には非効率である。大型設備でも、タービン効率×発電効率＝５０％と低効率の上、発電設備、電力管理システム、等が必要となる。このため、現在の通常の汚泥処理設備では他に余剰空気の有効利用先がなく、エネルギー源としての余剰空気が無駄に排気されている。
そこで、本発明の主たる課題は、特に加圧流動床式焼却炉を備える汚泥処理設備において、当該焼却炉で発生する排ガスを利用して得られる余剰圧縮空気を、処理場内における各設備で有用に利用可能なエネルギーに経済的に変換して得ることにある。
【課題を解決するための手段】
【０００４】
上記課題を解決した本発明および作用効果は次記のとおりである。
＜請求項１記載の発明＞
加圧流動床式焼却炉と、
前記加圧流動床式焼却炉からの排ガスを利用して圧縮空気の生成及び送風を行う過給機と、
加圧流動床式焼却炉に供給する燃焼用空気の予熱を行う予熱器と、
圧縮空気を原料として高濃度酸素を得るＰＳＡ式酸素分離装置とを備え、
前記過給機で圧縮された圧縮空気の一部が前記予熱器に供給され、その余りの余剰圧縮空気がＰＳＡ式酸素分離装置に供給されるように構成されている、
ことを特徴とする汚泥処理設備。
【０００５】
（作用効果）
加圧流動床式焼却炉から排出される高温高圧の排ガスを利用して過給機を作動させるため、新たな動力エネルギーを必要とせずに圧縮空気を得ることができる。そして、過給機で発生させた圧縮空気を前記予熱器に供給するように構成したので、従来、予熱器に空気を供給するために必要であったブロアーが不要となり、もって、ブロアー運転用の電力も削減される。
また、圧縮空気の一部が供給されるＰＳＡ式酸素分離装置を設けたので余剰圧縮空気を原料として高濃度酸素を得ることができる。
得られた高濃度酸素は、例えば、汚泥処理設備内の汚水処理プロセスで用いられるオゾンの発生原料、純酸素曝気処理用酸素として用いることができ、汚泥処理設備内における焼却プロセス以外の他の処理プロセスにおいて有効利用が可能である。
ここで、オゾンの発生原料として用いる場合には、ＰＳＡ式酸素分離装置により得られる高濃度酸素は、一般的な空気原料よりも約２倍の電力効率でオゾンを生成できるため、電力消費量の削減およびＣＯ2の削減にも寄与する。
また、得られる高濃度酸素は、焼却炉の酸素富化燃焼に利用することもでき、含水スラッジ（汚泥）などの低カロリー廃棄物の焼却における補助燃料の削減、酸素富化によるＣＯ2発生あるいは増加を伴わない焼却温度制御を可能ならしめる。
以上のとおり、請求項１記載の発明により、炉内への空気供給用のブロアー等が不必要となり電力などが削減されるほか、利用価値の高いエネルギーである高濃度酸素を経済的に得ることができ、各処理プロセスにまたがる有機的なエネルギーリサイクルが可能となる。
【０００６】
＜請求項２記載の発明＞
過給機から余剰圧縮空気を一時的に貯留する気蓄機を備える請求項１記載の汚泥処理設備。
【０００７】
（作用効果）
気蓄機を設けることによりＰＳＡ式酸素分離装置の運転サイクルに関わらずに安定して圧縮空気をＰＳＡ式酸素分離装置に供給できるようになる。
【０００８】
＜請求項３記載の発明＞
ＰＳＡ式酸素分離装置が、マルチカラム方式のＰＳＡ式酸素分離装置である請求項１〜３の何れか１項に記載の汚泥処理設備。
【０００９】
（作用効果）
マルチカラム方式（ロータリー方式）とすることにより、連続的に高濃度酸素を得ることができる。
【００１０】
＜請求項４記載の発明＞
加圧流動床式焼却炉にて汚泥を焼却処理し、
この焼却処理にともなって前記加圧流動床式焼却炉から排出される排ガスを利用して、過給機にて圧縮空気を生成するとともに送気し、
この過給機で生成された圧縮空気の一部を加圧流動床式焼却炉に供給する燃焼用空気の予熱を行う予熱器に供給するとともに、その余りの余剰圧縮空気をＰＳＡ式酸素分離装置に供給して高濃度酸素を得る、
ことを特徴とする汚泥処理方法。
【００１１】
（作用効果）
請求項１記載の発明と同様の作用効果を奏する。
【００１２】
＜請求項５記載の発明＞
過給機から余剰圧縮空気を気蓄機にて一時的に貯留した後に、ＰＳＡ式酸素分離装置に供給する請求項１記載の汚泥処理方法。
【００１３】
（作用効果）
請求項２記載の発明と同様の作用効果を奏する。
【００１４】
＜請求項６記載の発明＞
ＰＳＡ式酸素分離装置で得た高濃度酸素を、オゾン発生原料、純酸素曝気用酸素、焼却設備における酸素富化燃焼用途、汚水処理設備内での自己消費に利用する請求項４または５記載の汚泥処理方法。
【００１５】
（作用効果）
汚泥処理設備内において高濃度酸素の有効利用が図られ、汚泥処理設備における有機的なエネルギーリサイクルが達成される。
【発明の効果】
【００１６】
以上のとおり、本発明によれば、加圧流動床式焼却炉で発生する排ガスを利用して得られる余剰空気から、処理場内における各設備で有用に利用可能な高濃度酸素を経済的に得ることが可能となり、有機的なエネルギーリサイクルが可能となる。
【発明を実施するための最良の形態】
【００１７】
以下、図面を参照して、本発明に係る汚泥処理設備および方法の一実施形態について説明する。
図１は、本発明に係る汚泥処理方法を用いる汚泥処理設備１のブロック図である。この図において、符号２は加圧流動床炉（燃焼炉）、３は予熱器（熱交換器）、４は集塵機（高温フィルタ）、５は過給機（ターボチャージャ）、６は予熱器（熱交換器）、７は排煙筒、８は気蓄機、９はＰＳＡ式酸素分離装置である。
【００１８】
本汚泥処理設備１は、例えば下水処理場において水分を多量に含有する汚泥Ｘ１を燃料として燃焼させることによって処理するものである。なお、本実施形態における汚泥処理設備１の加圧流動床炉２は、一日当り２０〜３００ｔ程度の汚泥Ｘ１を処理する能力を有しており、本実施形態における汚泥処理設備１は、このような汚泥Ｘ１の処理能力が３５〜１５０ｔ／日程度の加圧流動床炉２に対して特にエネルギー効率が高いシステム構成を有している。
【００１９】
加圧流動床炉２は、外部から供給された汚泥Ｘ１及び必要に応じて供給される助燃燃料Ｘ２を燃料として燃焼を行うものである。この加圧流動床炉２は、下部から供給される圧縮空気Ｘ３によって炉内の流動状態を維持することによって、連続的な汚泥Ｘ１の燃焼処理を可能としたものである。
【００２０】
なお、助燃燃料Ｘ２としては重油、灯油あるいは都市ガスや石炭等の可燃物質が挙げられるが、上記圧縮空気Ｘ３の圧力及び温度が充分に高い場合や汚泥Ｘ１の保有エネルギーが高い場合、あるいは後述する高濃度酸素を十分に供給できる場合には、助燃燃料Ｘ２を加圧流動床炉２に供給しなくとも汚泥Ｘ１を連続的に燃焼させることが可能である。
【００２１】
予熱器３は、加圧流動床炉２の後段に設けられており、加圧流動床炉２によって生成された高温高圧の排ガスＸ４と圧縮空気Ｘ３とを間接的に熱交換することによって、圧縮空気Ｘ３を所定の温度まで加温するものである。
【００２２】
集塵機４は、予熱器３の後段に設けられており、加圧流動床炉２の燃焼によって生成された排ガスＸ４中に含有されるダストを除去するものである。この集塵機４としては、例えばセラミックフィルタを用いることができる。
【００２３】
なお、上記熱予熱器３と集塵機４との配置は逆でも良い。すなわち、集塵機４において排ガスＸ４中に含有するダストを除去した後に、予熱器３において排ガスＸ４の熱エネルギーによって圧縮空気Ｘ３を加温しても良い。
【００２４】
過給機５は集塵機４の後段に設けられており、上記排ガスＸ４によって回転駆動されるタービン５ａ及び当該タービン５ａの回転動力を伝達されることによって上記圧縮空気Ｘ３を生成して送風するコンプレッサ５ｂから構成されている。この過給機５としては、舶用のものを用いることが好ましい。これは、舶用の過給機が既に世の中に広く普及しており豊富な種類が用意されているためであると共に、汚れた排ガスに対応した設計がなされているためである。そして、例えば、送出圧力が４気圧程度のターボチャージャを用いた場合には、圧縮空気Ｘ３が供給される加圧流動床炉２を４気圧程度の耐圧構造とすれば良く、容易に加圧流動床炉２を製造することが可能となる。
【００２５】
上記過給機５のタービン５ａの後段には、排ガスＸ４からブロアー６１による白煙防止用空気を間接熱交換し、この加温された白煙防止空気を排煙筒前で混合することで白煙が外部に排気されることを防止する予熱器（熱交換器）６が設けられている。かかる、予熱器（熱交換器）６の後段には、排ガスＸ４を適宜排ガス処理する排ガス処理手段６７が設けられており、排ガスの無害化処理等が行なわれる。この排ガス処理手段６７の後段には処理済み排ガスを大気開放する排煙筒７が設けられており、かかる排煙筒７から処理済みの排ガスが大気開放される。
【００２６】
一方、過給機５の当該コンプレッサ５ｂの後段には圧縮空気を送気するための送気管５０が連結される。かかる送気管５０は、圧縮空気Ｘ３を予熱器に供給するための経路５０ａと、ＰＳＡ式酸素分離装置に続く経路５０ｂとに分岐されており、各経路の途中でバルブＶ７、Ｖ８が設けられている。このバルブの制御は後述の制御装置により行われる。
【００２７】
予熱器３に送られた圧縮空気Ｘ３は、上述のとおり排ガスＸ４との熱交換により加温されて燃焼炉内に供給される。ＰＳＡ式酸素分離装置９に送られたその余りの余剰圧縮空気Ｘ５は、ＰＳＡ式酸素分離装置９における酸素発生原料とされる。
【００２８】
過給機５からの余剰圧縮空気Ｘ５を利用するＰＳＡ式酸素分離装置９は、二つの塔（カラム）９Ａ、９Ｂを用いたものである。二以上の塔を備えるマルチカラム式であってもよい。各塔９Ａ、９Ｂ内には吸着剤としての合成ゼオライトが充填されている。従って、塔内に余剰圧縮空気Ｘ５が供給されて圧力が加えられると窒素が当該合成ゼオライトに吸着され、製品ガスとして酸素が分離される。
【００２９】
酸素製造過程は、一方の塔（吸着塔）９Ａに余剰圧縮空気Ｘ５を供給して高圧に保持し、原料空気中の窒素を吸着除去して、抽残物である高濃度酸素が製品ガスとして取り出す。その間に他方の塔（脱着塔）９Ｂでは塔内を減圧して、吸着剤に吸着、蓄積された窒素を脱着して吸着剤の再生を行う。脱着工程終了時には吸着剤がリフレッシュされ、かかる塔９Ｂが再度の吸着工程に移行する準備が整う。両塔内の圧力をスイングすることにより常に一方の塔から連続的に製品酸素が得られる。この圧力スイング操作は自動バルブＶ０〜Ｖ６によって行われる。
【００３０】
なお、ＰＳＡ式酸素分離装置９と過給機５（コンプレッサ５ｂ）との間には気蓄機８が設けられており、ＰＳＡ式酸素分離装置９の運転サイクルに伴う圧縮空気圧力の変動がバッファリングされるように構成されている。
【００３１】
ＰＳＡ式酸素分離装置９の後段には、得られた酸素を一時的に貯留するサージタンク１０、および処理設備内において高濃度酸素を必要とする適宜の処理プロセスに対して高濃度酸素を送気するためのブロアー１１が設けられている。
【００３２】
このブロアー１１には、例えば、燃焼炉内への返送路（αの経路）が連結されて、高濃度酸素が圧縮空気Ｘ３と混合されて燃焼用空気として利用される。あるいは、オゾン発生装置へ続く管路が連結されて（βの経路）、高濃度酸素が汚泥処理設備内で用いる殺菌、消毒用のオゾン発生原料として利用される。また、曝気処理槽Ｂに酸素を供給するための供給路（γの経路）が連結されて、高濃度酸素が曝気処理に利用される。
【００３３】
他方、図示されない制御装置により、加圧流動床炉２から排気された直後の排ガスＸ４の温度が所定の温度に安定化するように、汚泥Ｘ１の加圧流動床炉２への投入量や助燃燃料Ｘ２の加圧流動床２への吹き込み量及び本汚泥処理システム１の適所に設けられたバルブの開口度が制御される。
【００３４】
本設備では、過給機５と予熱器３との間に配置される上記圧縮空気Ｘ３の流路配管には、圧縮空気Ｘ３の流量を規定するための圧縮空気バルブＶ７が設けられ、過給機５と気蓄機との間に配置される余剰圧縮空気Ｘ５の流路配管には、余剰圧縮空気Ｘ５の流量を規定するための圧縮空気バルブＶ８が設けられ、過給機５と集塵機４との間に配置される上記排ガスＸ４の流路配管には、排ガスＸ４の流量を規定するための排ガスバルブＶ９が設けられている。
【００３５】
そして、上記制御装置は、加圧流動床炉２から排気された直後の排ガスＸ４の温度に基づいて圧縮空気バルブＶ７、Ｖ８及び排ガスバルブＶ９を調整することによって、上記熱交換器３において圧縮空気Ｘ３と排ガスＸ４との熱交換量を調整するとともに、気蓄機に送気する余剰圧縮空気Ｘ５の量を調整する。
【００３６】
また、制御装置は、加圧流動床炉２から排気された直後の排ガスＸ４の温度に基づいて加圧流動床炉２への汚泥Ｘ１の投入量をも調整する。なお、加圧流動床炉２に助燃燃料Ｘ２を供給する場合には、制御装置は、助燃燃料Ｘ２の供給量も調整する。もちろん、助燃料が上記ＰＳＡ式酸素分離装置で得られた高濃度酸素である場合には、この供給量をも制御する。これによって、加圧流動床炉２から排気された直後の排ガスＸ４の温度を常に所定の温度に安定化することが可能となる。
【００３７】
なお、ここで言う所定の温度とは、加圧流動床炉２内において好適に燃焼が行われていることを示す温度（約８５０℃）であり、排ガスＸ４が所定の温度である場合には、加圧流動床炉２内の燃焼によって生成されるダイオキシンや一酸化炭素の量が最小限となる。
【００３８】
なお、上記圧縮空気バルブ及び排ガスバルブは、圧縮空気Ｘ３及び排ガスＸ４の流量を規定する機能の他に、本汚泥処理設備１における安全弁（サージ回避用）の機能をも担うものである。
【産業上の利用可能性】
【００３９】
本発明は、加圧流動床式焼却炉を用いた各種廃棄物処理に利用可能である。
【図面の簡単な説明】
【００４０】
【図１】本発明に係る汚泥処理方法を用いる汚泥処理設備のブロック図である。
【符号の説明】
【００４１】
１…汚泥処理設備、２…加圧流動床炉、３…予熱器（熱交換器）、４…集塵機、５…過給機、５ａ…タービン、５ｂ…コンプレッサ、６…予熱器（熱交換器）、６７…排ガス処理手段、７…排煙筒、８…気蓄機、９…ＰＳＡ式酸素分離装置、１０…サージタンク、１１…ブロアー、Ｖ１〜９…バルブ。
【図１】
2007170702.tif 000003